(57)【要約】  加温治療装置（保育器、加温器等）内の患者へのアクセスを可能にする方法及び装置が開示されている。一つの例示的な実施例では、装置は、少なくとも二つの回転軸線を有するマットレストレイアセンブリを有している。別の例示的な実施例では、マットレストレイアセンブリは、少なくとも四つの回転軸線を有している。
2011502733.tif 000002
【特許請求の範囲】
【請求項１】
患者支持アセンブリと、
前記患者支持アセンブリに連結されるマットレストレイアセンブリと、
を備える装置であって、前記マットレストレイアセンブリは、マットレストレイと支持台と備え、前記マットレストレイは、少なくとも二つの回転軸線を中心に前記支持台内で移動可能である、装置。
【請求項２】
前記マットレストレイは、前記支持台に対して約３６０°回転可能である、請求項１に記載の装置。
【請求項３】
前記支持台は、該支持台に形成される少なくとも一つの溝を有する、請求項１に記載の装置。
【請求項４】
前記支持台は、該支持台に形成される少なくとも二つの溝を有する、請求項１に記載の装置。
【請求項５】
前記少なくとも二つの溝は、円形状である、請求項４に記載の装置。
【請求項６】
前記少なくとも二つの円形溝は、互いに交差する、請求項５に記載の装置。
【請求項７】
前記マットレストレイは、該マットレストレイに連結される少なくとも一つのピンを有し、該ピンは、前記支持台に形成される前記少なくとも一つの溝内に嵌合する、請求項３に記載の装置。
【請求項８】
前記マットレストレイは、該マットレストレイに連結される少なくとも二つのピンを有し、該ピンの各々は、前記支持台に形成される前記少なくとも二つの溝内に嵌合する、請求項４に記載の装置。
【請求項９】
前記少なくとも二つの回転軸線は、少なくとも四つの回転軸線を有する、請求項１に記載の装置。
【請求項１０】
前記マットレストレイに連結される応力除去部をさらに備える、請求項１に記載の装置。
【請求項１１】
前記支持台は、該支持台に形成される少なくとも四つの溝を有する、請求項１に記載の装置。
【請求項１２】
前記少なくとも四つの溝のうちの少なくとも二つは、弓形状である、請求項１１に記載の装置。
【請求項１３】
前記マットレストレイは、該マットレストレイに連結される少なくとも四つの脚部を有し、該脚部は、前記支持台に形成される前記少なくとも四つの溝内に嵌合する、請求項１１に記載の装置。
【請求項１４】
前記少なくとも四つの脚部のうちの少なくとも一つは、該少なくとも四つの脚部のうちの少なくとも一つに配置される少なくとも一つのアクセス孔を有する、請求項１３に記載の装置。
【請求項１５】
前記支持台は、少なくとも一つのアクセス孔を有し、該アクセス孔は、前記少なくとも四つの脚部のうちの少なくとも一つに配置される前記少なくとも一つアクセス孔と協働する、請求項１４に記載の装置。
【請求項１６】
前記マットレストレイアセンブリは、少なくとも二つの案内部をさらに備える、請求項１に記載の装置。
【請求項１７】
前記少なくとも二つの案内部のうちの少なくとも一つは、前記支持台内で回転する、請求項１６に記載の装置。
【請求項１８】
前記マットレストレイは、前記少なくとも二つの案内部と協働することで、前記マットレストレイを前記支持台に対して第１の方向へ約１８０°回転させることができ、さらに同トレイを前記支持台に対して第２の方向へ約１８０°回転させることができる、請求項１７に記載の装置。
【請求項１９】
患者支持アセンブリと、
前記患者支持アセンブリに連結され且つマットレストレイと支持台とを備えるマットレストレイアセンブリであって、前記マットレストレイは、前記支持台内で少なくとも二つの回転軸線を中心に移動可能である、マットレストレイアセンブリと、
前記患者支持アセンブリに連結され且つ少なくとも一つの側壁を有するフードと、を備える、加温治療装置。
【請求項２０】
前記少なくとも一つの側壁は、少なくとも四つの側壁を備え、前記マットレストレイは、前記少なくとも四つの側壁のうちの一つのみを取り外した状態で前記支持台内で約３６０°回転可能である、請求項１９に記載の加温治療装置。
【請求項２１】
マットレストレイと、
支持台と
を備える装置であって、前記マットレストレイは、前記支持台内で少なくとも二つの回転軸線を中心に少なくとも第１の位置及び第２の位置へ移動可能であり、前記第１の位置は、実質的に前記支持台の中央であり、前記第２の位置は、前記第１の位置の片側において横方向に配置される、装置。
【発明の詳細な説明】
【技術分野】
【０００１】
関連出願の相互参照
本出願は、２００７年１２月４日に出願された米国仮出願第６１／００５，２９４号及び２００８年１０月２０日に出願された米国仮出願第６１／１０６，７４３号について優先権を主張し、両仮出願の全内容は、本出願に完全に記載されるように、参照により本出願に組み込まれる。
【０００２】
本発明は、概して、加温治療装置（保育器、加温器等）内の患者へのアクセスを可能にする方法及び装置に関する。とりわけ、本発明は、加温治療装置に関して患者用マットレスを様々な位置へ回転可能にする方法及び装置に関する。
【背景技術】
【０００３】
未熟児の発育を促進するために温度及び湿度を制御する様々なシステムを有する加温治療装置（例えば保育器、加温器）等の乳児ケアユニットが知られている。このような装置は、従来、乳児を支持する乳児支持面に加え、乳児支持面を覆うフードやキャノピー等の乳児保護手段を有する。
【０００４】
このような装置にあっては、乳児にアクセスできるようにするのが典型的である。例えば、看護人が乳児にアクセスできるように側面パネルにアクセス用の開口を設けてもよい。このような装置は、乳児にさらにアクセスし易くするためにアクセス用のドアを有するフードを有してもよい。また、より一層乳児へのアクセスをし易くするために、このような装置のフード及びこのようなユニットの側面パネルは、乳児支持面から遠ざけることができることも知られている。
【０００５】
例えば、その開示内容が、本出願に完全に記載されるように参照により本出願に組み込まれる、米国特許第６，８８０，１８８号（特許文献１）には、可動式の乳児支持体を有する乳児ケア装置が開示される。乳児支持体は、中央位置を起点に中央位置からオフセットされた位置（図５乃至図７参照）までレールに沿って摺動可能である。しかしながら、該乳児ケア装置は、マットレスを回転させることができず、看護人が行える検査の種類が制限される。例えば、乳児患者（２００）の右側を検査する必要がある場合、可動式の乳児支持体（２１）を乳児ケア装置（図７に示す）の右側位置へ移動させなければならず、そのために右手側パネル（１４４）を下げる必要がある。次に、乳児患者（２００）の左側を検査する必要がある場合、可動式乳児支持体（２１）を乳児ケア装置（図６に示す）の左側位置へ移動させなければならず、そのために右手側パネル（１２２）を下げる必要がある。実際、乳児患者をどちらか一方の側から検査することは一般的には行われないため、乳児の全身にアクセスできることが好ましい。
【先行技術文献】
【特許文献】
【０００６】
【特許文献１】米国特許第６，８８０，１８８号
【発明の概要】
【発明が解決しようとする課題】
【０００７】
加温治療装置の乳児支持体に載置される乳児患者への看護人によるアクセス性をさらに向上させることは有益であろう。また、メンテナンス及び清掃のために、乳児支持体へ簡便にアクセスできるようにすることも有益であろう。従って、現在、乳児の全身へアクセスできるように様々な方向に移動可能な乳児支持体を備える加温治療装置が必要とされる。
【課題を解決するための手段】
【０００８】
本発明の例示的な実施形態は、患者支持アセンブリと患者支持アセンブリに連結されるマットレストレイアセンブリとを有する装置を備える。該マットレストレイアセンブリは、マットレストレイと支持台とを備え、該マットレストレイは、少なくとも二つの回転軸線を中心として支持台内で移動可能である。
【０００９】
また、本発明の例示的な実施形態は、患者支持アセンブリと、患者支持アセンブリに連結され且つマットレストレイと支持台とを備えるマットレストレイアセンブリと、患者支持アセンブリに連結され且つ少なくとも一つの側壁を有するフードとを有する加温治療装置を備える。該マットレストレイは、少なくとも二つの回転軸線を中心として支持台内を移動可能である。
【００１０】
また、本発明の例示的な実施形態は、マットレストレイと支持台とを有する装置を備え、該マットレストレイは、支持台内において少なくとも二つの回転軸線を中心に少なくとも第１位置及び第２位置へ移動可能である。第１位置は、実質的に支持台の中央に位置付けられ、第２位置は、第１位置の片側において横方向に位置付けられる。
【図面の簡単な説明】
【００１１】
【図１】本発明の第１の例示的な実施形態による加温治療装置の斜視図である。
【図２】図１に示す加温治療装置のマットレストレイを９０°回転させた状態の斜視図である。
【図３】本発明の第１の例示的な実施形態によるマットレストレイアセンブリの斜視図である。
【図４】図３に示すマットレストレイアセンブリの上面図である。
【図５】図４に示すマットレストレイアセンブリのＣ−Ｃ線における断面図である。
【図６】図５に示すマットレストレイアセンブリの円Ｅ内を詳細に示す正面断面図である。
【図７】本発明の第１の例示的な実施形態によるマットレストレイの上面図である。
【図８】図７に示すマットレストレイの側面図である。
【図９】図７に示すマットレストレイの底面図である。
【図１０】本発明の第１の例示的な実施形態による支持台の上面図である。
【図１１】図１０に示す支持台の側面図である。
【図１２】図１０に示す支持台の斜視図である。
【図１３】マットレストレイが中央位置に配置される、本発明の第１の例示的な実施形態によるマットレストレイアセンブリの上面図である。
【図１４】マットレストレイが第１の回転位置に配置される、図１３に示すマットレストレイアセンブリの上面図である。
【図１５】マットレストレイが第２の回転位置に配置される、図１３に示すマットレストレイアセンブリの上面図である。
【図１６】本発明の第２の例示的な実施形態によるマットレストレイアセンブリの斜視図である。
【図１７】図１６に示すマットレストレイアセンブリの一部の分解斜視図である。
【図１８】本発明の第３の例示的な実施形態によるマットレストレイアセンブリの斜視図である。
【図１９Ａ】図１８に示すマットレストレイアセンブリの側面図である。
【図１９Ｂ】図１８に示すマットレストレイアセンブリの上面図である。
【図１９Ｃ】図１８に示すマットレストレイアセンブリの図１９ＢのＩ−Ｉ線における側面断面図である。
【図１９Ｄ】図１９Ｃの詳細部分Ｚにおける、図１８のマットレストレイアセンブリの詳細な側面断面図である。
【図２０Ａ】本発明の第３の例示的な実施形態によるマットレストレイの上面図である。
【図２０Ｂ】図２０Ａに示すマットレストレイの側面図である。
【図２０Ｃ】図２０Ａに示すマットレストレイの底面図である。
【図２１Ａ】本発明の第３の例示的な実施形態による支持台の側面図である。
【図２１Ｂ】図２１Ａに示す支持台の上面図である。
【図２１Ｃ】図２１Ａに示す支持台の斜視図である。
【図２２Ａ】マットレストレイが中央位置に配置される、本発明の第３の例示的な実施形態によるマットレストレイアセンブリの上面図である。
【図２２Ｂ】中央位置に対して約４５°回転された第１の回転位置にマットレストレイが配置される、図２２Ａのマットレストレイアセンブリの上面図である。
【図２２Ｃ】中央位置に対して約９０°回転された第２の回転位置にマットレストレイが配置される、図２２Ａのマットレストレイアセンブリの上面図である。
【図２２Ｄ】中央位置に対して約１３５°回転された第３の回転位置にマットレストレイが配置される、図２２Ａのマットレストレイアセンブリの上面図である。
【図２２Ｅ】中央位置に対して約１８０°回転された第４の回転位置（図２２Ａに示す中央位置と同位置）にマットレストレイが配置される、図２２Ａのマットレストレイアセンブリの上面図である。
【発明を実施するための形態】
【００１２】
本発明は、回転可能なマットレストレイを有するマットレストレイアセンブリを有する加温治療装置（保育器、加温器等）に関する。第１の例示的な実施形態において、マットレストレイアセンブリは、マットレストレイを少なくとも二つの回転軸線を中心に回転させるための少なくとも二つの溝を有する。第２の例示的な実施形態において、マットレストレイアセンブリは、少なくとも二つの回転軸線を中心としたマットレストレイの回転を案内するための少なくとも二つの案内部を有する。第３の例示的な実施形態において、マットレストレイアセンブリは、マットレストレイを少なくとも四つの回転軸線を中心に回転させるための少なくとも四つの溝を有する。上述した第１及び第３の例示的な実施形態において、マットレストレイは、少なくとも二つの回転軸線を中心に回転する。二つの回転軸線を用いる利点は、本出願の図２に示すように、加温治療装置のフードの片側のみを開放した状態でマットレストレイを９０°まで回転させることができることである。
【００１３】
本発明の例示的な実施形態のいくつかは、支持台の対称軸に対して相対的に変えられる一つ以上の軸線を中心に支持台に対して回転可能なマットレストレイを備える。このように回転軸線を配置することにより、加温治療装置の一方の側壁のみを開放した状態で看護人がよりアクセスし易いようにマットレスを位置付けることができる。また、本発明の例示的な実施形態のいくつかは、マットレストレイの回転時にマットレストレイの支持台への取付状態を保持する手段を備える。さらに、本発明の例示的な実施形態のいくつかは、マットレストレイを回転させる際にホース、ケーブルその他の医療関連器具を患者から取り外す必要がないように、これらの器具を支持する手段を備える。
【００１４】
図１及び図２は、本発明の第１の例示的な実施形態による加温治療装置１０を示す。加温治療装置１０は、輻射加熱ヘッド２０と、マットレストレイアセンブリ４０を有する患者支持アセンブリ３０とを有する。マットレストレイアセンブリ４０は、一つ以上の軸線４７を中心に回動する頂部４６を有するフード４５を有してもよい。またフード４５は、スライド自在、取り外し可能、回動可能又は回転可能な一つ以上の側壁４８を有してもよい。マットレストレイアセンブリ４０は、凹部を有する支持台４２内に配置されるマットレストレイ４１を有する。他の例示的な実施形態を参照しながら以下に詳細に説明されるように、マットレストレイ４１は、支持台４２内で３６０°まで回転可能である。図２は、図１に示す位置に対して約９０°回転されたマットレストレイ４１を特に示す。
【００１５】
図３は、本発明の第１の例示的な実施形態によるマットレストレイアセンブリ４０を示す。マットレストレイアセンブリ４０は、マットレストレイ４１内に配置されるマットレス４３と、支持台４２と、各側壁４８より部分的に構成されるフードとを有する。側壁４８は、マットレス４３上に載置される患者がマットレストレイアセンブリ４０から落下するのを防ぐように設計される。側壁４８の各々は、スライド自在、取り外し可能、回動可能及び／又は回転可能であり、マットレストレイ４１を回転させる空間を設けることができる。図３に示すように、前方の側壁４８は、マットレストレイ４１が回転する空間を設けるために下方へ移動されている。
【００１６】
図４は、図３に示すマットレストレイアセンブリ４０の上面図であり、図５は、図４のマットレストレイアセンブリ４０のＣ−Ｃ線における断面図である。図４は、マットレストレイアセンブリ４０のマットレストレイ４１が、‘中央’位置、即ち、位置合わせされた状態にあるのを示し、この場合、マットレストレイは、その全体が支持台４２上に配置される。図５は、マットレストレイ４１と支持台４２との間の境界面の詳細をいくらか示すマットレストレイアセンブリ４０の側面図である。この境界面については、図６を参照しながら以下により詳細に説明する。
【００１７】
図６は、図５の詳細部分‘Ｅ’に沿った、マットレストレイアセンブリ４０の詳細な正面断面図であり、マットレス４３とマットレストレイ４１と支持台４２とを示す。図６に示すように、マットレストレイ４１の底面側は、マットレストレイに連結されるピン５１を有し、該ピンは、支持台４２の溝５２に係合する。これらのピン５１は、（図６に示すような）円形であっても、当業者に周知の他の適切な任意の形状であってもよい。同様に、溝５２は、（図６に示すような）円形であっても、当業者に周知の他の適切な任意の形状であってもよい。
【００１８】
図７乃至図９は夫々、図３乃至図６に示すマットレストレイ４１の上面図、側面図及び底面図である。図７は、マットレストレイ４１を略楕円形状として示すが、該マットレストレイは適切な任意の形状であってもよいことを当業者は理解するであろう。図８は、マットレストレイ４１の側面図であり、マットレストレイの底面側に連結されるピン５１を示す。図９は、マットレストレイ４１の底面図であり、ピン５１の配置を示す。具体的にいえば、ピン５１は、マットレストレイ４１の中央に配置される。
【００１９】
図１０乃至図１２は夫々、図３乃至図６に示す支持台４２の上面図、側面断面図及び斜視図である。図１０は、支持台４２の上面図であり、支持台の形状が略矩形であること及び支持台に形成される円形溝５２を示す。また図１０は、溝５２に形成される開口５３を示す。溝５２内の開口５３は、（図１０に示すように）円形であっても、当業者に周知の他の適切な任意の形状であってもよい。開口の形状は、ピンを支持台４２に挿入できるように、ピン５１の形状と一致させる（例えば双方を円形にする）ことが好ましい。このような形態において、ピン５１を回転方向に対して溝５２内の開口５３に位置合わせしたときに限り、マットレストレイ４１を支持台４２から取り外すことができる。好適には、（例えば本出願の図１及び図４に示すように）マットレストレイ４１が‘中央’位置にあるとき、即ち、位置合わせされた状態のときにピン５１が位置する箇所に開口５３を配置する。それにより、マットレストレイ４１が支持台４２内で回転されると、ピン５１はもはや溝５２内の開口５３に合致することがないため、結果的にマットレストレイの脱落を防ぐことになる。
【００２０】
図１１は、図１０のＢ−Ｂ線における支持台４２の側面断面図であり、溝５２と開口５３の相対的位置を示す。図１２は、支持台４２の斜視図であり、再び溝５２と開口５３の相対的位置を示す。特に、開口５３は、図９に示すピン５１の位置に対応して、マットレストレイ４１の中央に配置される。
【００２１】
図１３乃至図１５は、夫々異なった回転状態におけるマットレストレイアセンブリ４０を示す上面図である。図１３は、‘中央’位置にある、即ち、位置合わせされた状態におけるマットレストレイ４１を示す。図１４は、第１の回転位置におけるマットレストレイ４１を示し、トレイは、‘中央’位置に対して０°から９０°の間あたりに配置される。図１５は、第２の回転位置におけるマットレストレイ４１を示し、トレイは、‘中央’位置に対して９０°に配置される。上述したように、マットレストレイ４１は、‘中央’位置に対して３６０°まで回転可能であり、上記の位置がマットレストレイの配置の全てではない。当然のことながら、最大限３６０°回転させるためには、一つ以上の側壁４８を取り外すか、回動させるか又は回転させる必要がある。図１３乃至図１５において、側壁４８’（図１３に示す）は取り外され、側壁４８はそのままの状態である。
【００２２】
図１６は、本発明の第２の例示的な実施形態によるマットレストレイアセンブリ１４０の斜視図である。マットレストレイアセンブリ１４０は、マットレストレイ１４１内に配置されるマットレス１４３と、支持台１４２と、各側壁１４８により部分的に構成されるフードとを有する。側壁１４８は、マットレス１４３に載置される患者がマットレストレイアセンブリ１４０から落下するのを防ぐように設計される。側壁１４８の各々は、スライド自在、取り外し可能、回動可能及び／又は回転可能であり、マットレストレイ１４１を回転させる空間を設けることができる。
【００２３】
図３乃至図１５に示す（上述の）マットレストレイアセンブリ４０に対して、マットレストレイアセンブリ１４０は、支持台１４２に連結される少なくとも二つの案内部１６０に合わせて配置されるマットレストレイ１４１を有する。案内部１６０は、（図１６に示すような）半円形であっても、当業者に周知の他の適切な任意形状であってもよい。しかしながら、案内部１６０の形状は、マットレストレイが案内部内で回転又はスライドできるようにマットレストレイ１４１の外側寸法に合わせるべきである。
【００２４】
図１７は、マットレストレイアセンブリ１４０の一部の分解斜視図である。支持台１４２は、案内部１６０に連結されるピン１６１を受容する溝１５２を有する。上述した第１の例示的な実施形態と同様に、第２の例示的な実施形態は、二つの回転軸線（例えば、ピン１６１を支える溝１５２により形成される軸線）を中心に回転する。マットレストレイ１４１は、案内部１６０の二つの回転軸線を中心として３６０°回転することができる。具体的には、マットレストレイ１４１の一端は、一方の案内部１６０の外縁に沿って摺動可能であり、マットレストレイの他端は、他方の案内部１６０内において回転可能であることにより、第１の方向への回転は１８０°に達する。図１６に示す例示的な実施形態において、マットレストレイ１４１は、同図左側に示す案内部１６０の縁に沿って摺動可能であり、同図右側に示す案内部１６０内において回転可能であることにより、第１の方向への回転は１８０°に達する。同様に、マットレストレイ１４１は、図１６の右側に示す案内部１６０の縁に沿って摺動可能であり、同図左側に示す案内部１６０内において回転可能であることにより、第２の（逆の）方向への回転は１８０°に達する。これらを合わせると、案内部１６０によりもたらされる二つの回転軸線によって３６０°の回転が可能となる。
【００２５】
図１８は、本発明の第３の例示的な実施形態によるマットレストレイアセンブリ２００を示す。マットレストレイアセンブリ２００と、上述されるマットレストレイアセンブリ４０及び１４０との間の相違点の一つは、４つの独立した回転軸線の周りを回転可能であることである。４つの回転軸線を用いることの利点は、加温治療装置の側壁を一つだけ（例えば、図１の側壁４８）を開放した状態で、マットレストレイ２１０を３６０°又はそれ以上回転可能であることである。もう一つの利点は、マットレス上に載置される乳児患者に繋がれるホース、ケーブルその他の接続器具（ホース２６０等）を変えることなく、マットレストレイ２１０を９０°回転させることができることである。
【００２６】
マットレストレイアセンブリ２００は、マットレストレイ２１０と、支持台２２０と、側壁２３０と、端壁２４０とを有する。マットレストレイアセンブリ２００はまた、ホース２６０又はそれと同種のものを保持する応力除去部２５０を有してもよい。マットレストレイ２１０は、適切な任意の形状にすることができ、本例示的な実施形態では角の丸い矩形状に形成される。マットレストレイ２１０の角丸半径は、側壁２３０に接触しないことを条件に定められる。マットレストレイ２１０は、支持台の溝２２５内を摺動する脚部２１５より支持台２２０に取り付けられる（図２０Ａ乃至２０Ｃ及び図２１Ａ乃至２１Ｃ参照）。図２１Ａ乃至２１Ｃ（以下に説明する）に示すように、マットレストレイアセンブリ２００は、各々が弓形状である少なくとも四つの溝２２５を有する。上述したように、マットレストレイ２１０及び支持台２２０は、開放、変位又は取り外しが可能である側壁２３０及び端壁２４０によって包囲される。側壁２３０及び端壁２４０の目的の一つは、マットレストレイ２１０上に載置される乳児患者がマットレストレイアセンブリ２００から落下するのを実質的に防ぐことである。
【００２７】
当業者が気付くように、本発明の第３の例示的な実施形態によるマットレストレイアセンブリ２００は、図１に示すような加温治療装置に組み込まれる。例えば、マットレストレイ２１０は、図１に示すマットレストレイ４１に相当する。
【００２８】
さらに図１８を参照すると、応力除去部２５０は、マットレストレイ２１０に対してホース２６０を固定する働きをする。これには、マットレストレイ２１０上に載置される乳児患者が医療用ホース（人工呼吸ホース等）に繋がれている場合に、以下に説明するように、マットレストレイ２１０を支持台２２０に対して移動させてもホースに歪みがほとんど又は全く生じないという利点がある。
【００２９】
マットレストレイ２１０の支持台２２０内での回転に関し、止め部２７０を挿入することにより回転軸線を一つだけに制限してもよい。止め部２７０は、中空円筒状の管を備えてもよく、該管は、以下に説明する、マットレストレイ２１０及び支持台２２０に形成される円形のアクセス孔内に位置される。止め部２７０は、ホース及び電気コネクタのための導管として使用してもよい。止め部２７０は、応力除去部２５０又は止め部２７０を通るホース又はコネクタの再調整を必要とせずに、特定の軸線周りに回転を固定する働きする。具体的にいうと、ホース及び／又はコネクタはその特定の回転軸線を通ることになるので、それらは一切の変化を受けることがなく、コネクタ及び／又はホースの必要長さは変わらない。
【００３０】
図１９Ａ乃至図１９Ｄは、マットレストレイアセンブリ２００の詳細をさらに示す。上述したようにマットレストレイ２１０は、支持台の溝２２５内を摺動する四つの脚部２１５を用いて、支持台２２０に取り付けることができる。
【００３１】
図２０Ａ乃至図２０Ｃは、マットレストレイ２１０に形成される脚部２１５の詳細をさらに示す。脚部２１５の各々は、マットレストレイ２１０の四つの回転軸線の各々と同軸のアクセス孔２１６を有してもよい。図２０Ａは、マットレストレイの下面に設けられる脚部２１５の向きを示すために部分的に切り取られたマットレストレイ２１０の上面図である。脚部２１５の各々は、略円弧状で上部２１７と下部２１８とを有する。下部２１８は、（以下に説明するように）支持台２２０の溝２２５内を摺動し、上部は、マットレストレイ２１０の本体との接続部を提供し、両者の間に間隔を設ける。図２０Ｂは、マットレストレイ２１０の側面図であり、下に隠れる脚部２１５の位置を示す。図２０Ｃは、マットレストレイ２１０の底面図であり、脚部２１５及びアクセス孔２１６の各々の位置を示す。
【００３２】
図２１Ａ乃至図２１Ｃは、支持台２２０に形成される溝２２５の詳細をさらに示す。支持台２２０は、マットレストレイ２１０のアクセス孔２１６と協働し且つマットレストレイの四つの回転軸線の各々と同軸である、アクセス孔２２６を有する。図２１Ａは、支持台２２０の側面図であり、複数の隆起部材２２７により形成される溝２２５を示す。図２１Ｂは、部分的に切り取られた支持台２２０の上面図であり、隆起部材２２７とアクセス孔２２６の配置を示す。図２１Ｃは、支持台２２０の斜視図であり、溝２２５、アクセス孔２２６及び隆起部材２２７の方向配置を示す。
【００３３】
マットレストレイ２１０は、トレイの四つの回転軸線の全てがアクセス孔２２６に位置合わせされた状態においてのみ支持台２２０への取り付け及び同台からの取り外しが可能となり、この状態がマットレストレイの標準位置（例えば図２２Ａに示す、マットレストレイを支持台に位置合わせした状態）に相当する。マットレストレイ２１０を四つの回転軸線のうちの一つを中心に回転させると、一つ以上の脚部２１５が一つ以上の溝２２５内に固定されるので、マットレストレイは、支持台２２０から取り外し不能となる。
【００３４】
図２２Ａ乃至図２２Ｅは、側壁２３０を一つだけ開放した状態において可能なマットレストレイ２１０の配置を示す。図２２Ａは、第３の例示的な実施形態によるマットレストレイアセンブリ２００の上面図であり、マットレストレイ２１０は、第１の（例えば標準の）位置に配置される。図２２Ｂは、図２２Ａに示す第１の位置に対して約４５°回転された、第２の例示的な位置におけるマットレストレイ２１０を示す。図２２Ｃは、第１の位置に対して約９０°回転された、第３の例示的な位置におけるマットレストレイ２１０を示す。図２２Ｄは、第１の位置に対して約１３５°回転された、第４の例示的な位置におけるマットレストレイ２１０を示す。最後に図２２Ｅは、第１の位置に対して約１８０°回転された、第５の例示的な位置におけるマットレストレイ２１０を示す。
【００３５】
図２２Ａ乃至図２２Ｃは、マットレストレイ２１０がたった一つの回転軸線によって９０°回転可能であることを示す。具体的には、マットレストレイ２１０は、図２２Ａに示されるマットレストレイの右下の角のアクセス孔２１５に対応する回転軸線の周りを回転する。マットレストレイ２１０が図２２Ｃに示す位置にきたら次は、図２２Ｄ及び図２２Ｅに示すように、マットレストレイを別の回転軸線の周りで回転させることができ、その結果回転は１８０°に達する。具体的には、マットレストレイ２１０は、図２２Ａに示されるマットレストレイの左下の角のアクセス孔２１５に対応する回転軸線の周りを回転する。上述した例示的な位置及び回転軸線は、説明の目的のみに示したものであり、マットレストレイアセンブリ２００により提供される四つの回転軸線を用いることでマットレストレイ２１０の様々な配置が実現可能であることを当業者は理解するであろう。
【００３６】
第１乃至第３の例示的な実施形態によるマットレストレイアセンブリ４０、１４０及び２００は、関連する加温治療装置１０を参照しながら図示及び上述されるが、マットレストレイアセンブリ４０、１４０及び２００のいずれも、適合する保育器、加温器その他同等の装置に組み込むことができることを当業者は理解するであろう。さらに、第１乃至第３の例示的な実施形態によるマットレストレイアセンブリ４０、１４０及び２００は、四つまでの回転軸線に関して図示及び上述されるが、任意の数の回転軸線（例えば、一つ、二つ、三つ、四つ又はそれ以上）を有するマットレストレイアセンブリが、本発明の範囲に包含されることを当業者は理解するであろう。
【００３７】
本発明を例示的な実施形態によって説明したが、本発明はこれらに限定されるものではない。むしろ、添付の特許請求の範囲は、本発明の均等物の範囲から逸脱することなく、当業者が想到し得る本発明の他の変形例及び実施形態を広く含むものとして解釈されるべきである。本明細書は、本明細書に記述された実施形態のあらゆる適応例や変形例を包含することが意図される。
【図１】
2011502733.tif 000003
【図２】
2011502733.tif 000004
【図３】
2011502733.tif 000005
【図４】
2011502733.tif 000006
【図５】
2011502733.tif 000007
【図６】
2011502733.tif 000008
【図７】
2011502733.tif 000009
【図８】
2011502733.tif 000010
【図９】
2011502733.tif 000011
【図１０】
2011502733.tif 000012
【図１１】
2011502733.tif 000013
【図１２】
2011502733.tif 000014
【図１３】
2011502733.tif 000015
【図１４】
2011502733.tif 000016
【図１５】
2011502733.tif 000017
【図１６】
2011502733.tif 000018
【図１７】
2011502733.tif 000019
【図１８】
2011502733.tif 000020
【図１９Ａ】
2011502733.tif 000021
【図１９Ｂ】
2011502733.tif 000022
【図１９Ｃ】
2011502733.tif 000023
【図１９Ｄ】
2011502733.tif 000024
【図２０Ａ】
2011502733.tif 000025
【図２０Ｂ】
2011502733.tif 000026
【図２０Ｃ】
2011502733.tif 000027
【図２１Ａ】
2011502733.tif 000028
【図２１Ｂ】
2011502733.tif 000029
【図２１Ｃ】
2011502733.tif 000030
【図２２Ａ】
2011502733.tif 000031
【図２２Ｂ】
2011502733.tif 000032
【図２２Ｃ】
2011502733.tif 000033
【図２２Ｄ】
2011502733.tif 000034
【図２２Ｅ】
2011502733.tif 000035
【国際調査報告】
2011502733.tif 000036